(57)【要約】【課題】広告キャンペーンを支援することができる情報処理装置等を提供する。【解決手段】情報処理装置１は、広告主から広告代理店に広告キャンペーンを依頼するためのオリエンテーション情報を広告主端末から取得する第１取得部と、前記オリエンテーション情報を前記広告代理店の代理店端末に出力する出力部と、前記代理店端末から、前記オリエンテーション情報に対応するプレゼンテーション情報であって、前記広告キャンペーンの提案内容を示すプレゼンテーション情報を取得する第２取得部と、前記広告キャンペーン毎に、前記オリエンテーション情報及びプレゼンテーション情報を互いに対応付けて記憶する記憶部と、前記広告主端末又は代理店端末から、前記広告キャンペーンを指定した出力要求を受け付ける受付部とを備え、前記出力部は、指定された前記広告キャンペーンに対応する前記オリエンテーション情報又はプレゼンテーション情報を出力する。【選択図】図１
2020170298.tif 000002
【特許請求の範囲】
【請求項１】
広告主から広告代理店に広告キャンペーンを依頼するためのオリエンテーション情報を広告主端末から取得する第１取得部と、
前記オリエンテーション情報を前記広告代理店の代理店端末に出力する出力部と、
前記代理店端末から、前記オリエンテーション情報に対応するプレゼンテーション情報であって、前記広告キャンペーンの提案内容を示すプレゼンテーション情報を取得する第２取得部と、
前記広告キャンペーン毎に、前記オリエンテーション情報及びプレゼンテーション情報を互いに対応付けて記憶する記憶部と、
前記広告主端末又は代理店端末から、前記広告キャンペーンを指定した出力要求を受け付ける受付部と
を備え、
前記出力部は、指定された前記広告キャンペーンに対応する前記オリエンテーション情報又はプレゼンテーション情報を出力する
ことを特徴とする情報処理装置。
【請求項２】
前記出力部は、複数の前記広告代理店夫々の代理店端末に前記オリエンテーション情報を出力し、
前記第２取得部は、前記複数の広告代理店夫々の前記代理店端末から前記プレゼンテーション情報を取得し、
前記出力部は、前記広告主代理店夫々の前記プレゼンテーション情報を前記広告主端末に出力する
ことを特徴とする請求項１に記載の情報処理装置。
【請求項３】
前記受付部は、前記プレゼンテーション情報に対する評価情報の入力を前記広告主端末から受け付け、
前記出力部は、前記評価情報を前記代理店端末に出力する
ことを特徴とする請求項１又は２に記載の情報処理装置。
【請求項４】
前記評価情報を出力後、前記第２取得部は、前記プレゼンテーション情報を更新した第２の前記プレゼンテーション情報を前記代理店端末から取得し、
前記出力部は、前記第２のプレゼンテーション情報を前記広告主端末に出力する
ことを特徴とする請求項３に記載の情報処理装置。
【請求項５】
前記広告キャンペーンで実施される広告施策を示す施策情報、又は該広告キャンペーンの実績を示す実績情報を取得する第３取得部を備え、
前記記憶部は、前記広告キャンペーンと対応付けて、前記施策情報又は実績情報を記憶し、
前記出力部は、前記出力要求に応じて、指定された前記広告キャンペーンに対応する前記施策情報又は実績情報を出力する
ことを特徴とする請求項１〜４のいずれか１項に記載の情報処理装置。
【請求項６】
前記広告主端末から、前記広告代理店に許可するアクセス権限であって、前記記憶部において前記広告キャンペーンと対応付けて記憶されている情報へのアクセス権限を設定する設定入力を受け付ける第２受付部を備え、
前記出力部は、前記代理店端末から前記出力要求を受け付けた場合、前記広告代理店に許可されたアクセス権限に応じて、指定された前記広告キャンペーンに対応する情報を出力する
ことを特徴とする請求項１〜５のいずれか１項に記載の情報処理装置。
【請求項７】
広告主から広告代理店に広告キャンペーンを依頼するためのオリエンテーション情報を広告主端末から取得し、
前記オリエンテーション情報を前記広告代理店の代理店端末に出力し、
前記代理店端末から、前記オリエンテーション情報に対応するプレゼンテーション情報であって、前記広告キャンペーンの提案内容を示すプレゼンテーション情報を取得し、
前記広告キャンペーン毎に、前記オリエンテーション情報及びプレゼンテーション情報を互いに対応付けて記憶部に記憶し、
前記広告主端末又は代理店端末から、前記広告キャンペーンを指定した出力要求を受け付け、
指定された前記広告キャンペーンに対応する前記オリエンテーション情報又はプレゼンテーション情報を出力する
処理をコンピュータに実行させることを特徴とする情報処理方法。
【請求項８】
広告主から広告代理店に広告キャンペーンを依頼するためのオリエンテーション情報の入力を受け付け、
入力された前記オリエンテーション情報を、前記広告キャンペーンに関する情報を管理する管理装置に出力し、
前記管理装置から、前記オリエンテーション情報に対応するプレゼンテーション情報であって、前記広告代理店からの前記広告キャンペーンの提案内容を示すプレゼンテーション情報を取得し、
取得した前記プレゼンテーション情報を表示部に表示し、
該プレゼンテーション情報に対する評価入力を受け付けて前記管理装置に出力する
処理をコンピュータに実行させることを特徴とするプログラム。
【請求項９】
広告キャンペーンを広告代理店に依頼するためのオリエンテーション情報を広告主端末から取得し、
前記オリエンテーション情報を入力した場合に、前記広告キャンペーンで実施すべき広告施策を示す施策情報を出力するよう学習済みの学習済みモデルに、取得した前記オリエンテーション情報を入力し、
前記学習済みモデルから出力された前記施策情報を、前記広告主端末に出力する
処理をコンピュータに実行させることを特徴とする出稿計画方法。
【請求項１０】
前記施策情報に基づき実施された前記広告キャンペーンの実績を示す実績情報、又は該広告キャンペーンに対する評価情報を取得し、
取得した前記実績情報又は評価情報に基づき、前記学習済みモデルを再生成する
ことを特徴とする請求項９に記載の出稿計画方法。
【発明の詳細な説明】
【技術分野】
【０００１】
本発明は、情報処理装置、情報処理方法、プログラム及び出稿計画方法に関する。
【背景技術】
【０００２】
広告キャンペーンの管理を支援する種々のシステムが提案されている。例えば特許文献１では、インターネット広告の制作を管理するインターネット広告管理システムであって、インターネット広告の発注から納品に至る各作業工程の情報を広告の発注者及び制作者の間で共有するインターネット広告管理システムが開示されている。
【先行技術文献】
【特許文献】
【０００３】
【特許文献１】特許第５８３５７９４号公報
【発明の概要】
【発明が解決しようとする課題】
【０００４】
しかしながら、特許文献１に係る発明は、広告発注前の情報を管理するに至っていない。
【０００５】
一つの側面では、広告キャンペーンを支援することができる情報処理装置等を提供することを目的とする。
【課題を解決するための手段】
【０００６】
一つの側面に係る情報処理装置は、広告主から広告代理店に広告キャンペーンを依頼するためのオリエンテーション情報を広告主端末から取得する第１取得部と、前記オリエンテーション情報を前記広告代理店の代理店端末に出力する出力部と、前記代理店端末から、前記オリエンテーション情報に対応するプレゼンテーション情報であって、前記広告キャンペーンの提案内容を示すプレゼンテーション情報を取得する第２取得部と、前記広告キャンペーン毎に、前記オリエンテーション情報及びプレゼンテーション情報を互いに対応付けて記憶する記憶部と、前記広告主端末又は代理店端末から、前記広告キャンペーンを指定した出力要求を受け付ける受付部とを備え、前記出力部は、指定された前記広告キャンペーンに対応する前記オリエンテーション情報又はプレゼンテーション情報を出力することを特徴とする。
【発明の効果】
【０００７】
一つの側面では、広告キャンペーンを支援することができる。
【図面の簡単な説明】
【０００８】
【図１】広告キャンペーン管理システムの構成例を示す模式図である。
【図２】サーバの構成例を示すブロック図である。
【図３】広告主ＤＢ、代理店ＤＢ、キャンペーンＤＢ、及びアクセス権限ＤＢのレコードレイアウトの一例を示す説明図である。
【図４】トップ画面及びキャンペーン一覧画面の一例を示す説明図である。
【図５】オリエンテーション画面の一例を示す説明図である。
【図６】アクセス権限設定画面の一例を示す説明図である。
【図７】プレゼンテーション画面の一例を示す説明図である。
【図８】資料アップロード後のプレゼンテーション画面の一例を示す説明図である。
【図９】評価入力後のプレゼンテーション画面の一例を示す説明図である。
【図１０】施策／実績画面の一例を示す説明図である。
【図１１】複数の広告キャンペーンの比較処理に関する説明図である。
【図１２】施策／実績画面における評価入力欄を示す説明図である。
【図１３】広告キャンペーンに係る閲覧画面の一例を示す説明図である。
【図１４】広告キャンペーンの登録処理の手順を示すフローチャートである。
【図１５】プレゼンテーション情報の入力及び評価処理の手順を示すフローチャートである。
【図１６】施策情報及び実績情報の入力及び評価処理の手順を示すフローチャートである。
【図１７】既存キャンペーンの閲覧処理の手順を示すフローチャートである。
【図１８】実施の形態２の概要を示す説明図である。
【図１９】出稿計画画面の一例を示す説明図である。
【図２０】出稿計画の学習処理の手順を示すフローチャートである。
【図２１】出稿計画生成処理の手順を示すフローチャートである。
【発明を実施するための形態】
【０００９】
以下、本発明をその実施の形態を示す図面に基づいて詳述する。
（実施の形態１）
図１は、広告キャンペーン管理システムの構成例を示す模式図である。本実施の形態では、広告主から広告代理店に依頼される広告キャンペーン（広告活動）に関わる情報を一元管理する広告キャンペーン管理システムについて説明する。広告キャンペーン管理システムは、情報処理装置１、及び端末２、２、２…を含む。各装置は、インターネット等のネットワークＮを介して相互に通信接続されている。
【００１０】
情報処理装置１は、種々の情報処理、情報の送受信が可能な情報処理装置であり、例えばサーバ装置、パーソナルコンピュータ等である。本実施の形態では情報処理装置１がサーバ装置であるものとし、以下では簡潔のためサーバ１と読み替える。サーバ１は、端末２、２、２…から取得した広告キャンペーンに関わる情報を一元管理し、端末２からの出力要求に応じて広告キャンペーンの情報を端末２に出力する。
【００１１】
端末２は、本システムを利用するユーザが操作する端末装置であり、例えばパーソナルコンピュータ、スマートフォン、タブレット端末等である。本システムのユーザは、広告キャンペーンを依頼する広告主、及び依頼を受ける広告代理店を含む。以下の説明では適宜、広告主の端末２を広告主端末２ａ、広告代理店（以下では簡潔のため「代理店」と記載）の端末２を代理店端末２ｂと記す。
【００１２】
本実施の形態でサーバ１は、広告キャンペーンに関わる情報として、広告キャンペーンの依頼時に広告主から代理店に提示されるオリエンテーション情報、及び代理店から広告主に提示されるプレゼンテーション情報を含む各種情報を管理する。オリエンテーション情報は、広告キャンペーンに関する要望、方向性等を広告主が代理店に理解させるための情報である。プレゼンテーション情報は、オリエンテーション情報を踏まえて代理店から広告主に具体的な広告キャンペーンの内容を提案するための情報である。
【００１３】
サーバ１は、広告キャンペーンの依頼前に広告主及び代理店の間で交わされるオリエンテーション情報及びプレゼンテーション情報を含めて、広告キャンペーンに関わる情報を一元管理する。さらにサーバ１は、オリエンテーション情報及びプレゼンテーション情報に基づいて計画され、実施された広告キャンペーンのその後の情報も含めて管理する。当該情報は、実施された広告施策を示す施策情報、及び広告施策の実績を示す実績情報である。サーバ１は、上記の各種情報を広告キャンペーンと対応付けて一元管理し、端末２からの出力要求に応じて、各種情報を端末２に出力する。
【００１４】
図２は、サーバ１の構成例を示すブロック図である。サーバ１は、制御部１１、主記憶部１２、通信部１３、及び補助記憶部１４を備える。
制御部１１は、一又は複数のＣＰＵ（Central Processing Unit）、ＭＰＵ（Micro-Processing Unit）、ＧＰＵ（Graphics Processing Unit）等の演算処理装置を有し、補助記憶部１４に記憶されたプログラムＰを読み出して実行することにより、種々の情報処理、制御処理等を行う。主記憶部１２は、ＳＲＡＭ（Static Random Access Memory）、ＤＲＡＭ（Dynamic Random Access Memory）、フラッシュメモリ等の一時記憶領域であり、制御部１１が演算処理を実行するために必要なデータを一時的に記憶する。通信部１３は、通信に関する処理を行うための通信モジュールであり、外部と情報の送受信を行う。
【００１５】
補助記憶部１４は、大容量メモリ、ハードディスク等の不揮発性記憶領域であり、制御部１１が処理を実行するために必要なプログラムＰ、その他のデータを記憶している。また、補助記憶部１４は、広告主ＤＢ１４１、代理店ＤＢ１４２、キャンペーンＤＢ１４３、アクセス権限ＤＢ１４４を記憶している。広告主ＤＢ１４１は、広告主の情報を格納するデータベースである。代理店ＤＢ１４２は、代理店の情報を格納するデータベースである。キャンペーンＤＢ１４３は、広告キャンペーンの情報を格納するデータベースである。アクセス権限ＤＢ１４４は、キャンペーンＤＢ１４３に格納されている広告キャンペーンの情報に対し、ユーザに許可されるアクセス権限に関わる情報を格納するデータベースである。
【００１６】
なお、補助記憶部１４はサーバ１に接続された外部記憶装置であってもよい。また、サーバ１は複数のコンピュータからなるマルチコンピュータであっても良く、ソフトウェアによって仮想的に構築された仮想マシンであってもよい。
【００１７】
また、本実施の形態においてサーバ１は上記の構成に限られず、例えば操作入力を受け付ける入力部、画像を表示する表示部等を含んでもよい。また、サーバ１は、ＣＤ（Compact Disk）−ＲＯＭ、ＤＶＤ（Digital Versatile Disc）−ＲＯＭ等の可搬型記憶媒体Ｐ１を読み取る読取部を備え、可搬型記憶媒体Ｐ１からプログラムＰを読み取って実行するようにしても良い。あるいはサーバ１は、半導体メモリＰ２からプログラムＰを読み込んでも良い。
【００１８】
図３は、広告主ＤＢ１４１、代理店ＤＢ１４２、キャンペーンＤＢ１４３、及びアクセス権限ＤＢ１４４のレコードレイアウトの一例を示す説明図である。
広告主ＤＢ１４１は、広告主ＩＤ列、広告主名列、担当者ＩＤ列、担当者名列、担当者アドレス列を含む。広告主ＩＤ列は、各広告主を識別するためのＩＤを記憶している。広告主名列、担当者ＩＤ列、担当者名列、及び担当者アドレス列はそれぞれ、広告主ＩＤと対応付けて、広告主の名称、担当者のＩＤ、担当者名、及び担当者のメールアドレスを記憶している。
【００１９】
代理店ＤＢ１４２は、代理店ＩＤ列、代理店名列、担当者ＩＤ列、担当者名列、担当者アドレス列を含む。代理店ＩＤ列は、各代理店を識別するためのＩＤを記憶している。代理店名列、担当者ＩＤ列、担当者名列、及び担当者アドレス列はそれぞれ、代理店の名称、担当者のＩＤ、担当者名、及び担当者のメールアドレスを記憶している。
【００２０】
キャンペーンＤＢ１４３は、キャンペーンＩＤ列、キャンペーン名列、広告主列、オリエンテーション列、プレゼンテーション列、施策／実績列を含む。キャンペーンＩＤ列は、各広告キャンペーンを識別するためのＩＤを記憶している。キャンペーン名列、広告主列、オリエンテーション列、プレゼンテーション列、及び施策／実績列はそれぞれ、キャンペーンＩＤと対応付けて、広告キャンペーンの名称、広告主のＩＤ、オリエンテーション情報、プレゼンテーション情報、及び施策情報と実績情報とを記憶している。オリエンテーション列には、例えば広告主の業種、広告キャンペーンの種類、目的、ＫＰＩ、期間、ターゲット（例えば年齢、性別等）、予算等が記憶されている。プレゼンテーション列には、例えばプレゼンテーションを行う代理店のＩＤと対応付けて、代理店端末２ｂからアップロードされたプレゼンテーション資料（例えばＰｏｗｅｒＰｏｉｎｔ（登録商標）ファイル）、及びプレゼンテーションに対する広告主の評価情報等が記憶されている。施策／実績列には、例えば広告キャンペーンを実施する代理店のＩＤと対応付けて、当該広告キャンペーンで実施する各広告施策の施策情報及び実績情報、及び実施した広告キャンペーンに対する評価情報等が記憶されている。
【００２１】
アクセス権限ＤＢ１４４は、ユーザ列、代理店名列、キャンペーン列、アクセス権限列を含む。ユーザ列は、キャンペーンＤＢ１４３へのアクセス権限が設定された各ユーザ（代理店等）のＩＤを記憶している。代理店名列、キャンペーン列、及びアクセス権限列はそれぞれ、アクセス権限が設定された代理店の名称、広告キャンペーンのＩＤ、及びアクセス権限の設定内容を記憶している。アクセス権限列には、例えば設定可能なアクセス権限の設定項目と対応付けて、アクセス権限の設定内容を示すフラグと、設定内容の有効期間とを記憶している。なお、上記のフラグは、「１」が情報の入力及び閲覧が可能なことを、「２」は閲覧のみ可能なことを、「３」は入力のみ可能なことを、空欄は入力及び閲覧が不可能なことを表す。
【００２２】
図４〜図１３は、端末２（広告主端末２ａ及び代理店端末２ｂ）が表示する画面例を示す説明図である。図４〜図１３に基づき、本実施の形態の概要について説明する。
なお、本実施の形態では広告主端末２ａ及び代理店端末２ｂが同一の画面を表示し、広告主及び代理店は同一の画面を閲覧するものとして説明するが、広告主端末２ａ及び代理店端末２ｂはそれぞれ異なる画面を表示するものであってもよい。
【００２３】
図４Ａは、トップ画面の一例を示す説明図である。図４Ａでは、広告主端末２ａが表示するトップ画面の一例を図示してある。
トップ画面は、新規キャンペーン欄４１と、既存キャンペーン欄４２とを含む。新規キャンペーン欄４１への操作入力を受け付けた場合、広告主端末２ａは、広告キャンペーンの新規登録をサーバ１に要求し、図５に示すオリエンテーション画面へと遷移する。既存キャンペーン欄４２への操作入力を受け付けた場合、広告主端末２ａは、図４Ｂに示す一覧画面に遷移する。
【００２４】
図４Ｂは、キャンペーン一覧画面の一例を示す説明図である。図４Ｂでは、ユーザ（広告主又は代理店）が関わる広告キャンペーンの一覧を示す一覧画面の一例を図示してある。
図４Ａのトップ画面で既存キャンペーン欄４２への操作入力を受け付けた場合などに、端末２（広告主端末２ａ又は代理店端末２ｂ）は、ユーザが関わる広告キャンペーンの一覧の出力をサーバ１に要求し、図４Ｂの一覧画面を表示する。例えば端末２は、一覧画面において一又は複数の広告キャンペーンのキャンペーン名を表示すると共に、各キャンペーンに対応する変更ボタン４３及び閲覧ボタン４４を表示する。変更ボタン４３への操作入力を受け付けた場合、端末２は、図５〜図１２で示す各画面であって、広告キャンペーンの情報を入力するための入力画面へと遷移する。閲覧ボタン４４への操作入力を受け付けた場合、端末２は、図１３で示す画面であって、キャンペーンＤＢ１４３に保存されている広告キャンペーンの情報を閲覧するための閲覧画面へと遷移する。
【００２５】
図５は、オリエンテーション画面の一例を示す説明図である。図５では、オリエンテーション情報を依頼するためのオリエンテーション画面の一例を図示してある。
トップ画面で新規キャンペーン欄４１への操作入力を受け付けた場合、あるいは一覧画面で変更ボタン４３への操作入力を受け付けた場合などに、広告主端末２ａは、図５に示すオリエンテーション画面を表示する。ここでは説明の便宜上、新規キャンペーン欄４１への操作入力に基づいてオリエンテーション画面に遷移し、新規キャンペーンのオリエンテーション情報について入力を受け付ける場合を説明する。
【００２６】
オリエンテーション画面は、キャンペーン名、広告主の業種、広告キャンペーンの種類等、オリエンテーション情報として入力される各項目を入力するための入力欄を含む。広告主端末２ａは、ユーザ（広告主）から各入力欄についてオリエンテーション情報の入力を受け付ける。また、広告主端末２ａは、後述するように、当該広告キャンペーンを受注するためのコンペティションへの参加を許可する代理店の設定入力を受け付ける。広告主端末２ａは、入力されたオリエンテーション情報をサーバ１に送信し、新規キャンペーンの作成をサーバ１に要求する。
【００２７】
図６は、アクセス権限設定画面の一例を示す説明図である。図６では、広告主が本システムに登録する広告キャンペーンの情報について、代理店に許可するアクセス権限を設定するための権限設定画面の一例を図示してある。
例えば広告主端末２ａは、図５のオリエンテーション画面で新規キャンペーンのオリエンテーション情報の入力が完了後、図６の権限設定画面に遷移し、アクセス権限の設定入力を受け付ける。アクセス権限の設定内容は特に限定されないが、例えば広告主端末２ａは、オリエンテーション情報の閲覧を代理店に許可するか、他の代理店のプレゼンテーション情報の閲覧を許可するか、施策情報及び実績情報について入力及び閲覧の双方を許可するか、入力のみを許可するか、閲覧のみを許可するか等、各項目についてアクセス権限の設定入力を受け付ける。また、例えば広告主端末２ａは、各項目について、アクセス権限の範囲内でアクセスを許可する期間の設定入力を受け付ける。
【００２８】
広告主端末２ａは、図５のオリエンテーション画面で入力された新規キャンペーンのオリエンテーション情報、図６の権限設定画面で設定されたアクセス権限の設定内容をサーバ１に送信する。サーバ１は新規キャンペーンのキャンペーンＩＤを発行し、新規キャンペーンのオリエンテーション情報をキャンペーンＩＤと対応付けてキャンペーンＤＢ１４３に記憶する。また、サーバ１は、新規キャンペーンに係るアクセス権限の設定内容をアクセス権限ＤＢ１４４に記憶する。
【００２９】
なお、上記では広告キャンペーンを新規登録する場合について説明したが、登録済みの既存の広告キャンペーンのオリエンテーション情報及びアクセス権限を登録完了後に変更可能であることは勿論である。
【００３０】
代理店端末２ｂからオリエンテーション情報の出力要求を受け付けた場合、サーバ１は、広告主が代理店に許可したアクセス権限の設定範囲内で、オリエンテーション情報が入力済みのオリエンテーション画面を代理店端末２ｂに出力して表示させる。後述するプレゼンテーション画面、施策／実績画面等でも同様に、サーバ１はアクセス権限の範囲内でプレゼンテーション情報、施策情報等の閲覧、入力を許可する。
【００３１】
ここでサーバ１は、広告キャンペーンの受注をコンペティション形式で行うため、オリエンテーション画面で広告主が設定した一又は複数の代理店の代理店端末２ｂ、２ｂ、２ｂ…にオリエンテーション画面の閲覧を許可する。なお、広告主がコンペティション参加者を設定することなく、本システムにユーザとして登録されている全ての代理店の代理店端末２ｂ、２ｂ、２ｂ…がオリエンテーション画面の閲覧を可能としてもよいことは勿論である。サーバ１は、コンペティション参加者として設定された代理店の代理店端末２ｂから出力要求を受け付けた場合、オリエンテーション画面を出力して表示させる。
【００３２】
図７は、プレゼンテーション画面の一例を示す説明図である。図７では、代理店からの広告キャンペーンの依頼内容を示すプレゼンテーション情報を入力するためのプレゼンテーション画面の一例を図示している。
例えば代理店端末２ｂは、図５で例示したオリエンテーション画面の上部に表示されるタブへの操作入力に応じて、図７のプレゼンテーション画面に表示を切り換える。プレゼンテーション画面は、オリエンテーション情報として入力された広告キャンペーンのキャンペーン名、目的等を表示すると共に、プレゼンテーション資料（例えばＰｏｗｅｒＰｏｉｎｔファイル）をアップロードするための入力欄を含む。オリエンテーション情報を確認した代理店の担当者は、広告キャンペーンを提案するためのプレゼンテーション資料を作成し、プレゼンテーション画面を介してサーバ１にアップロードする。これによりサーバ１は、プレゼンテーション情報を代理店端末２ｂから取得する。サーバ１は、コンペティション参加者として設定された各代理店の代理店端末２ｂからプレゼンテーション情報を取得し、キャンペーンＩＤと対応付けてキャンペーンＤＢ１４３に記憶する。
【００３３】
なお、上記ではプレゼンテーション情報としてデータファイル（プレゼンテーション資料）のアップロードを受け付けるものとしたが、例えば代理店端末２ｂは、プレゼンテーション画面でテキスト、画像等の入力を直接受け付け、サーバ１にアップロードする構成であってもよい。すなわち、プレゼンテーション情報は単独のデータファイルに限定されない。
【００３４】
図８は、資料アップロード後のプレゼンテーション画面の一例を示す説明図である。プレゼンテーション資料のアップロード後に広告主端末２ａ（又は代理店端末２ｂ）からプレゼンテーション情報の出力要求を受け付けた場合、サーバ１は、図８で例示するプレゼンテーション画面を広告主端末２ａに出力して表示させる。例えば広告主端末２ａは、各代理店からアップロードされたプレゼンテーション資料のスライド画面をプレゼンテーション画面内に表示すると共に、ユーザからの操作入力に応じて、プレゼンテーション資料をダウンロードする。
【００３５】
また、プレゼンテーション画面は、各代理店から提示されたプレゼンテーション情報に対する評価情報を入力するための入力欄を含む。例えば広告主端末２ａは、プレゼンテーション資料の良否を表すランク（図８では星印で図示）の入力、あるいはテキスト入力を評価情報として受け付ける。広告主端末２ａは、入力された評価情報をサーバ１に送信する。
【００３６】
図９は、評価入力後のプレゼンテーション画面の一例を示す説明図である。評価情報の入力後に代理店端末２ｂ（又は広告主端末２ａ）からプレゼンテーション情報の出力要求を受け付けた場合、サーバ１は、図９に示すプレゼンテーション画面を代理店端末２ｂに出力して表示させる。
例えば代理店端末２ｂは、所定の各設定項目について広告主が入力したランク、あるいは広告主が入力したテキスト等を評価情報としてプレゼンテーション画面に表示する。その後に代理店端末２ｂは、以前のプレゼンテーション情報を更新した新たなプレゼンテーション情報（第２のプレゼンテーション情報）の入力を受け付ける。すなわち、代理店端末２ｂは、更新版のプレゼンテーション資料のアップロードを受け付ける。
【００３７】
更新版のプレゼンテーション資料のアップロード後に広告主端末２ａから出力要求を受け付けた場合、サーバ１は、更新後のプレゼンテーション資料を添付したプレゼンテーション画面を広告主端末２ａに出力して表示させる。広告主は再度プレゼンテーション資料を検討し、プレゼンテーション資料の評価を行う。このように、本システムを介して広告主は複数の代理店からプレゼンテーションを受けることができると同時に、広告主及び代理店はプレゼンテーション情報の評価及び更新を繰り返すことができ、より良質な広告キャンペーンを展開することが期待できる。
【００３８】
図１０は、施策／実績画面の一例を示す説明図である。図１０では、広告キャンペーンで実施される広告施策に関する施策情報、及び広告施策の実績に関する実績情報を入力するための施策／実績画面の一例を図示している。
以下では説明の便宜上、上記のプレゼンテーション情報のやり取りに基づいて広告キャンペーンの受注が完了し、広告主及び代理店が広告キャンペーンについて合意したものとして説明する。サーバ１は、代理店端末２ｂ（又は広告主端末２ａ）から出力要求を受け付けた場合、図１０に示す施策／実績画面を出力して表示させる。施策／実績画面は、広告キャンペーンのコンセプト、戦略といった広告キャンペーンの全体的な実施概要の他に、テレビジョンコマーシャル、ラジオコマーシャル、新聞、雑誌、交通系広告、インターネット広告等の各種広告施策について、実施予定又は実施済みの施策と、当該施策を実施したことによる成果等を示す実績値との入力を受け付ける。すなわち、代理店端末２ｂは、施策情報及び実績情報の入力を受け付ける。代理店端末２ｂは、入力された施策情報及び実績情報をサーバ１に送信する。
【００３９】
なお、本実施の形態では施策情報の入力と実績情報の入力とを同一画面で行うものとして説明するが、施策情報及び実績情報はそれぞれ別画面で入力するものであってもよい。また、施策情報及び実績情報は端末２（代理店端末２ｂ）から入力される構成ではなく、各種広告のＫＰＩデータを管理する外部ＡＰＩ（Application Programming Interface）から取得するようにしてもよい。このように、施策情報及び実績情報の取得経路は特に問わない。本システムでは、端末２において施策情報及び実績情報の確認（閲覧）が可能であればよい。
【００４０】
図１１は、複数の広告キャンペーンの比較処理に関する説明図である。図１１では、複数の広告キャンペーンの施策情報及び実績情報を比較するための施策／実績画面における処理動作を図示している。端末２は施策／実績画面において、一の広告キャンペーンの施策情報及び実績情報を表示するだけでなく、複数の広告キャンペーンの施策情報及び実績情報を表示し、比較可能としてもよい。
【００４１】
例えば端末２は、図１１に示すように、一の広告キャンペーンの施策／実績画面において、比較ボタン１１１を表示する。比較ボタン１１１への操作入力を受け付けた場合、端末２はサーバ１との間で通信を行い、広告主（又は代理店）が過去に行った複数の広告キャンペーンを一覧表示する。端末２は、表示した一覧から、比較対象とする一又は複数の広告キャンペーンの選択入力を受け付ける。そして端末２は、選択された広告キャンペーンの施策情報及び実績情報と対比した表、グラフ等を表示する。これにより広告主（又は代理店）は、複数の広告キャンペーンを見比べて施策情報及び実績情報の確認が可能になる。
【００４２】
図１２は、施策／実績画面における評価入力欄を示す説明図である。図１２では、施策／実績画面において、実施された広告キャンペーンに対する評価情報を入力するため画面部分を図示している。
本実施の形態では便宜上、実施された広告キャンペーンの評価を広告主が行うものとして説明する。なお、広告主ではなく、広告キャンペーンを実施した代理店が評価を行うものとしてもよい。
【００４３】
広告主端末２ａは、施策／実績画面の下部に、広告キャンペーンに対する評価情報を入力するための評価入力欄を表示し、評価情報の入力を受け付ける。例えば広告主端末２ａは、広告主が入力した各種オリエンテーション情報と対比して、広告キャンペーンの目的、ＫＰＩ、ターゲット、費用対効果等の各評価項目について、広告キャンペーンの実施結果を評価するためのテキスト入力欄を表示し、テキスト入力を受け付ける。なお、例えば広告主端末２ａは、テキストではなく、数値その他の態様で評価情報の入力を受け付けてもよいことは勿論である。
【００４４】
広告主端末２ａは、入力された評価情報をサーバ１に送信する。サーバ１はキャンペーンＩＤと対応付けて、評価情報をキャンペーンＤＢ１４３に記憶する。これにより広告主は、実施した広告キャンペーンを振り返り、評価内容を記録しておく。
【００４５】
図１３は、広告キャンペーンに係る閲覧画面の一例を示す説明図である。図１３では、キャンペーンＤＢ１４３に登録されている既存の広告キャンペーンについて、キャンペーンＤＢ１４３に格納されている情報を閲覧するための閲覧画面の一例を図示している。
【００４６】
上述の如く、サーバ１はオリエンテーション画面、プレゼンテーション画面、及び施策／実績画面を介してオリエンテーション情報、プレゼンテーション情報、施策情報、及び実績情報の入力を受け付け、キャンペーンＤＢ１４３に記憶する。広告主及び代理店は、キャンペーンＤＢ１４３に記憶された各種情報について、いつでも閲覧、ダウンロードが可能になっている。
【００４７】
例えば端末２は、図４Ｂの一覧画面において、各広告キャンペーンに対応する閲覧ボタン４４への操作入力を受け付けた場合、対応する広告キャンペーンの情報の出力を要求し、各種情報を閲覧するためのオリエンテーション画面、プレゼンテーション画面、及び施策／実績画面を表示する。なお、代理店端末２ｂは、広告主が設定したアクセス権限の範囲内で閲覧等が制限されることは勿論である。図１３では閲覧画面の一例として、オリエンテーション画面を図示している。プレゼンテーション画面及び施策／実績画面については図示を省略する。
【００４８】
図１３に示すように、閲覧画面では、広告主又は代理店から入力された各種情報が表示される。また、端末２は閲覧画面の下部に、閲覧画面で表示されている各種情報を格納した保存用のデータファイル（例えばＥｘｃｅｌ（登録商標）ファイル）をダウンロードするためのダウンロードボタン１２１を表示する。ダウンロードボタン１２１への操作入力を受け付けた場合、端末２は、表示中の閲覧画面に含まれる各種情報（図１３ではオリエンテーション情報）を格納したデータファイルを生成し、出力するようサーバ１に要求する。データファイルの出力要求を受け付けた場合、サーバ１はキャンペーンＤＢ１４３に記憶されている情報に基づいてデータファイルを生成し、端末２に出力する。
【００４９】
以上より、本実施の形態によれば、オリエンテーション情報、プレゼンテーション情報、施策情報、実績情報といった一連の情報が広告キャンペーン毎に一元管理される。これにより、広告主及び代理店は広告キャンペーンを時系列で振り返りやすくなると共に、広告キャンペーンのレポート作成、受発注等を円滑に行うことができる。
【００５０】
図１４は、広告キャンペーンの登録処理の手順を示すフローチャートである。図１４に基づき、広告キャンペーンを新規登録する設定入力時の処理内容について説明する。
広告主端末２ａは、ユーザ（広告主）からの操作入力に基づき、新規キャンペーンの作成をサーバ１に要求する（ステップＳ１１）。サーバ１は、新規キャンペーンのキャンペーンＩＤを発行して、新規キャンペーンのオリエンテーション情報を入力するためのオリエンテーション画面を広告主端末２ａに出力する（ステップＳ１２）。広告主端末２ａは、出力されたオリエンテーション画面を表示し、ユーザからオリエンテーション情報の入力を受け付けてサーバ１に送信する（ステップＳ１３）。サーバ１は、新規キャンペーンのキャンペーンＩＤと対応付けて、広告主端末２ａから取得したオリエンテーション情報をキャンペーンＤＢ１４３に記憶する（ステップＳ１４）。
【００５１】
サーバ１は、新規キャンペーンに関わる情報へのアクセス権限を設定するための権限設定画面を広告主端末２ａに出力する（ステップＳ１５）。広告主端末２ａは権限設定画面を表示し、ユーザからアクセス権限の設定入力を受け付けてサーバ１に設定内容を送信する（ステップＳ１６）。サーバ１は、広告主端末２ａから取得したアクセス権限の設定内容をアクセス権限ＤＢ１４４に記憶する（ステップＳ１７）。
【００５２】
代理店端末２ｂは、ユーザ（代理店）からの操作入力に基づき、オリエンテーション情報の出力をサーバ１に要求する（ステップＳ１８）。オリエンテーション情報の出力要求を受け付けた場合、サーバ１は、アクセス権限ＤＢ１４４を参照して要求元である代理店のアクセス権限を確認し、アクセス権限の範囲内でオリエンテーション情報を示すオリエンテーション画面を代理店端末２ｂに出力する（ステップＳ１９）。代理店端末２ｂはオリエンテーション画面を表示し（ステップＳ２０）、一連の処理を終了する。
【００５３】
図１５は、プレゼンテーション情報の入力及び評価処理の手順を示すフローチャートである。図１５に基づき、プレゼンテーション情報を入力及び評価する際の処理内容について説明する。
代理店端末２ｂは、ユーザ（代理店）からの操作入力に基づき、代理店が関わる広告キャンペーンの一覧の出力をサーバ１に要求する（ステップＳ４１）。サーバ１は、広告キャンペーンの一覧を代理店端末２ｂに出力する（ステップＳ４２）。広告主端末２ａは当該一覧を表示し、当該一覧からいずれかの広告キャンペーンを指定する指定入力を受け付け、指定された広告キャンペーンについてプレゼンテーション情報を入力するためのプレゼンテーション画面の出力をサーバ１に要求する（ステップＳ４３）。サーバ１は、指定された広告キャンペーンに係るプレゼンテーション画面を代理店端末２ｂに出力する（ステップＳ４４）。代理店端末２ｂはプレゼンテーション画面を表示し、ユーザからプレゼンテーション情報の入力を受け付けてサーバ１に送信する（ステップＳ４５）。サーバ１は、代理店端末２ｂから取得したプレゼンテーション情報を、広告キャンペーンのキャンペーンＩＤと対応付けてキャンペーンＤＢ１４３に記憶する（ステップＳ４６）。
【００５４】
広告主端末２ａは、ユーザ（広告主）からの操作入力に基づき、広告主が関わる広告キャンペーンの一覧の出力をサーバ１に要求する（ステップＳ４７）。サーバ１は、広告キャンペーンの一覧を広告主端末２ａに出力する（ステップＳ４８）。広告主端末２ａは当該一覧を表示し、当該一覧からいずれかの広告キャンペーンを指定する指定入力を受け付け、指定された広告キャンペーンのプレゼンテーション情報を表示するためのプレゼンテーション画面の出力をサーバ１に要求する（ステップＳ４９）。サーバ１は、指定された広告キャンペーンに係るプレゼンテーション画面を広告主端末２ａに出力する（ステップＳ５０）。広告主端末２ａはプレゼンテーション画面を表示し、代理店端末２ｂから入力されたプレゼンテーション情報に対する評価情報の入力を受け付けてサーバ１に送信する（ステップＳ５１）。サーバ１は、代理店端末２ｂから取得した評価情報をキャンペーンＤＢ１４３に記憶する（ステップＳ５２）。
【００５５】
また、サーバ１は、プレゼンテーション情報に対する評価情報を表示するためのプレゼンテーション画面を代理店端末２ｂに出力する（ステップＳ５３）。ステップＳ５３の処理は、代理店端末２ｂから出力要求を受け付けた場合に実行するようにしてもよく、広告主端末２ａから評価情報を取得した場合に自動的に実行するようにしてもよい。代理店端末２ｂは、評価情報を含むプレゼンテーション画面を表示し、更新版のプレゼンテーション情報（第２のプレゼンテーション情報）の入力を受け付けてサーバ１に送信する（ステップＳ５４）。サーバ１は、ステップＳ４６で記憶したプレゼンテーション情報に代えて、更新版のプレゼンテーション情報をキャンペーンＩＤと対応付けてキャンペーンＤＢ１４３に記憶して更新し（ステップＳ５５）、一連の処理を終了する。
【００５６】
図１６は、施策情報及び実績情報の入力及び評価処理の手順を示すフローチャートである。図１６に基づき、施策情報及び実績情報を入力及び評価する際の処理内容について説明する。
代理店端末２ｂは、ユーザ（代理店）からの操作入力に基づき、代理店が関わる広告キャンペーンの一覧の出力をサーバ１に要求する（ステップＳ７１）。サーバ１は、広告キャンペーンの一覧を代理店端末２ｂに出力する（ステップＳ７２）。代理店端末２ｂは当該一覧を表示し、当該一覧からいずれかの広告キャンペーンを指定する指定入力を受け付け、指定された広告キャンペーンについて施策情報及び実績情報を入力するための施策／実績画面の出力をサーバ１に要求する（ステップＳ７３）。サーバ１は、指定された広告キャンペーンに係る施策／実績画面を代理店端末２ｂに出力する（ステップＳ７４）。代理店端末２ｂは施策／実績画面を表示し、広告キャンペーンで実施された広告施策に関する施策情報、及び／又は実施された広告キャンペーンの実績に関する実績情報の入力を受け付けてサーバ１に送信する（ステップＳ７５）。サーバ１は、代理店端末２ｂから取得した施策情報及び／又は実績情報をキャンペーンＩＤと対応付けてキャンペーンＤＢ１４３に記憶する（ステップＳ７６）。
【００５７】
広告主端末２ａは、ユーザ（広告主）からの操作入力に基づき、広告主が関わる広告キャンペーンの一覧の出力をサーバ１に要求する（ステップＳ７７）。サーバ１は、広告キャンペーンの一覧を広告主端末２ａに出力する（ステップＳ７８）。広告主端末２ａは当該一覧を表示し、当該一覧からいずれかの広告キャンペーンを指定する指定入力を受け付け、指定された広告キャンペーンの施策情報及び実績情報を表示するための施策／実績画面の出力をサーバ１に要求する（ステップＳ７９）。サーバ１は、指定された広告キャンペーンに係る施策／実績画面を広告主端末２ａに出力する（ステップＳ８０）。広告主端末２ａは施策／実績画面を表示し、施策情報及び／又は実績情報に対する評価情報の入力を受け付けてサーバ１に送信する（ステップＳ８１）。サーバ１は、広告主端末２ａから取得した評価情報をキャンペーンＩＤと対応付けてキャンペーンＤＢ１４３に記憶して更新し（ステップＳ８２）、一連の処理を終了する。
【００５８】
図１７は、既存キャンペーンの閲覧処理の手順を示すフローチャートである。図１７に基づき、既存の広告キャンペーンの閲覧処理の内容について説明する。
端末２（広告主端末２ａ又は代理店端末２ｂ）は、ユーザ（広告主又は代理店）からの操作入力に基づき、ユーザが関わる広告キャンペーンの一覧の出力をサーバ１に要求する（ステップＳ１０１）。サーバ１は、広告キャンペーンの一覧を端末２に出力する（ステップＳ１０２）。端末２は当該一覧を表示し、当該一覧からいずれかの広告キャンペーンを指定する指定入力を受け付け、指定された広告キャンペーンの情報の出力をサーバ１に要求する（ステップＳ１０３）。サーバ１は、指定された広告キャンペーンのオリエンテーション情報、プレゼンテーション情報、施策情報等の各種情報を端末２に出力する（ステップＳ１０４）。端末２は、ユーザからの操作入力に基づき、オリエンテーション画面、プレゼンテーション画面、施策／実績画面等の各画面を表示する（ステップＳ１０５）。
【００５９】
端末２は、保存する広告キャンペーンの情報の指定入力をユーザから受け付け、指定された広告キャンペーンの情報を格納したデータファイルのダウンロードをサーバ１に要求する（ステップＳ１０６）。サーバ１は、指定された広告キャンペーンの情報に基づいてデータファイルを生成し、端末２に出力する（ステップＳ１０７）。端末２は、サーバ１から取得したデータファイルを保存し（ステップＳ１０８）、一連の処理を終了する。
【００６０】
以上より、本実施の形態１によれば、広告キャンペーンの管理を支援することができる。
【００６１】
また、本実施の形態１によれば、複数の代理店から広告キャンペーンのプレゼンテーションを受けることができる。
【００６２】
また、本実施の形態１によれば、プレゼンテーション情報の評価を行って代理店に通知することで、広告キャンペーンの受発注を円滑に行うことができる。
【００６３】
また、本実施の形態１によれば、広告主による評価を踏まえた更新版のプレゼンテーション情報の提示を受けることができ、広告キャンペーンの受発注をより円滑に行うことができる。
【００６４】
また、本実施の形態１によれば、オリエンテーション情報及びプレゼンテーション情報に基づく広告キャンペーンの施策及び実績も一元管理することができる。
【００６５】
また、本実施の形態１によれば、代理店のアクセス権限を設定することができ、広告主による適切な広告キャンペーンの管理を行うことができる。
【００６６】
（実施の形態２）
本実施の形態では、機械学習により生成された出稿計画モデル（学習済みモデル）を用いて、新たな広告キャンペーンの出稿計画を作成する形態について述べる。なお、実施の形態１と重複する内容については同一の符号を付して説明を省略する。
図１８は、実施の形態２の概要を示す説明図である。図１８では、オリエンテーション情報を入力として、広告キャンペーンで実施すべき広告施策を示す施策情報を出力する出稿計画モデル１７１について、概念的に図示している。図１８に基づき、本実施の形態の概要について説明する。
【００６７】
実施の形態１では、サーバ１が端末２からオリエンテーション情報、プレゼンテーション情報、施策情報、実績情報等の広告キャンペーンに関わる各種情報の入力を受け付け、キャンペーンＤＢ１４３に保存する旨を説明した。例えばサーバ１は、キャンペーンＤＢ１４３に蓄積された既存の広告キャンペーンの情報を教師データとして用い、広告施策の最適化案、すなわち出稿計画を作成するための出稿計画モデル１７１を生成する。
【００６８】
例えば出稿計画モデル１７１は、深層学習により生成されたニューラルネットワークであり、例えばＲＮＮ（Recurrent Neural Network）である。図１８に示すように、出稿計画モデル１７１は、オリエンテーション情報の入力を受け付ける入力層、施策情報を出力する出力層、及び入力層から出力層に至る演算処理を行う中間層を有する。
【００６９】
なお、出稿計画モデル１７１はＲＮＮに限定されず、ＲＮＮ以外のニューラルネットワーク、あるいは深層学習以外の他の学習アルゴリズムで生成された学習済みモデルであってもよい。
【００７０】
サーバ１は、キャンペーンＤＢ１４３に記憶されている既存の広告キャンペーンの情報を教師データとして用いる。例えばサーバ１は、既存の広告キャンペーンのオリエンテーション情報と、当該オリエンテーション情報に対応する施策情報、実績情報、評価情報等とを教師データとして用いる。
【００７１】
サーバ１は、教師用のオリエンテーション情報を入力層に入力し、中間層での演算を経て、出力層から、最適解として予測された広告施策を示す施策情報を出力値として取得する。サーバ１は、出力された施策情報を、キャンペーンＤＢ１４３に記憶されている実際の施策情報、すなわち教師用の施策情報と比較し、出稿計画モデル１７１を生成する。
【００７２】
例えばサーバ１は、教師用の施策情報に対応する広告キャンペーンの実績情報、及び／又は評価情報を、教師用の施策情報の正否を判定するための評価関数（すなわちポジティブ又はネガティブを示す値）として用いる。サーバ１は、実績情報、評価情報等を参照しながら、出稿計画モデル１７１から出力された施策情報を教師用の施策情報と比較し、出力値が正解値に近似するように、各ニューロンでの演算で用いる重み、活性化関数の係数等の各パラメータを最適化する。これによりサーバ１は、出稿計画モデル１７１を生成する。
【００７３】
サーバ１は、上記で生成した出稿計画モデル１７１を用いて、新規の広告キャンペーンに係る出稿計画を作成する。具体的には、サーバ１は広告主端末２ａから新規の広告キャンペーンのオリエンテーション情報を取得し、出稿計画モデル１７１に入力して、当該キャンペーンで実施すべき広告施策を示す施策情報を出力として取得する。サーバ１は、出力された施策情報を広告主端末２ａに出力する。
【００７４】
図１９は、出稿計画画面の一例を示す説明図である。図１９では、出稿計画モデル１７１から出力される施策情報を表示する画面例を図示している。図１９に示すように、広告主端末２ａは、出稿計画モデル１７１に入力された新規の広告キャンペーンのオリエンテーション情報のほかに、出稿計画モデル１７１から出力された施策情報として、各種広告施策（媒体）の種類、出稿量、出稿費用等の情報を、施策別に表示する。また、広告主端末２ａは、全ての施策に係る出稿費用の合計額を画面下部に表示する。これにより広告主は、最適化された広告計画を容易に把握することができる。
【００７５】
ここでサーバ１は、出力した施策情報に基づいて実施された広告キャンペーンの実績情報、あるいは広告主による広告キャンペーンの評価情報等に基づき、出稿計画モデル１７１の再学習（再生成）を行うようにしてもよい。例えばサーバ１は、実施の形態１と同様に施策／実績画面を介して実績情報及び評価情報の入力を受け付ける。サーバ１は、入力された実績情報及び／又は評価情報を再学習のための評価関数として用い、出稿計画モデル１７１の各パラメータを最適化する。これによりサーバ１は、出稿計画モデル１７１による出稿計画の品質向上を図ることができる。
【００７６】
図２０は、出稿計画の学習処理の手順を示すフローチャートである。図２０に基づき、機械学習により出稿計画モデル１７１を生成する処理について説明する。
サーバ１は、出稿計画モデル１７１を生成するための教師データであって、教師用のオリエンテーション情報と、当該オリエンテーション情報に基づく教師用の出稿計画のデータとを取得する（ステップＳ２０１）。例えばサーバ１は、キャンペーンＤＢ１４３に記憶されている既存の広告キャンペーン情報であって、既存の広告キャンペーンのオリエンテーション情報と、当該キャンペーンにおいて実施された広告施策の施策情報、実績情報、評価情報等とを教師データとして取得する。
【００７７】
サーバ１は、取得した教師データを用いて出稿計画モデル１７１を生成する（ステップＳ２０２）。例えばサーバ１は、教師データに含まれるオリエンテーション情報を出稿計画モデル１７１に入力し、当該オリエンテーション情報に基づく広告キャンペーンで実施すべき広告施策を示す施策情報を出力として取得する。サーバ１は、出力された施策情報を、実際に実施された広告施策を示す教師用の施策情報と比較する。サーバ１は、教師データに含まれる実績情報、評価情報等を教師用の施策情報の正否を判定するための評価関数として参照しながら、出稿計画モデル１７１から出力された施策情報が正解値に近似するように重み等の各パラメータを最適化し、出稿計画モデル１７１を生成する。サーバ１は、一連の処理を終了する。
【００７８】
図２１は、出稿計画生成処理の手順を示すフローチャートである。図２１に基づき、出稿計画モデル１７１を用いて広告の出稿計画を作成する処理について説明する。
サーバ１は広告主端末２ａから、新規の広告キャンペーンのオリエンテーション情報を取得する（ステップＳ２２１）。サーバ１は、取得したオリエンテーション情報を出稿計画モデル１７１に入力し、広告キャンペーンで実施すべき広告施策を示す施策情報を生成して広告主端末２ａに出力する（ステップＳ２２２）。
【００７９】
サーバ１は広告主端末２ａから、ステップＳ２２２で生成した施策情報に基づく広告キャンペーンの実績情報、及び／又は広告キャンペーンに対する評価情報を取得する（ステップＳ２２３）。サーバ１は、取得した実績情報及び／又は評価情報に基づき、出稿計画モデル１７１を再生成する再学習処理を実行する（ステップＳ２２４）。例えばサーバ１は、ステップＳ２２３で取得した実績情報、評価情報を、ステップＳ２２２で生成した施策情報の正否を判定するための評価関数として参照し、出稿計画モデル１７１から出力される施策情報が正解値に近似するように各パラメータの最適化を行う。サーバ１は、一連の処理を終了する。
【００８０】
以上より、本実施の形態２によれば、オリエンテーション情報から広告の出稿計画の最適化案を提示することができる。
【００８１】
また、本実施の形態２によれば、再学習を行うことで、出稿計画の品質向上を図ることができる。
【００８２】
今回開示された実施の形態はすべての点で例示であって、制限的なものではないと考えられるべきである。本発明の範囲は、上記した意味ではなく、特許請求の範囲によって示され、特許請求の範囲と均等の意味及び範囲内でのすべての変更が含まれることが意図される。
【符号の説明】
【００８３】
１  サーバ（情報処理装置）
１１  制御部
１２  主記憶部
１３  通信部
１４  補助記憶部
Ｐ  プログラム
１４１  広告主ＤＢ
１４２  代理店ＤＢ
１４３  キャンペーンＤＢ
１４４  アクセス権限ＤＢ
１７１  出稿計画モデル（学習済みモデル）
２  端末
２ａ  広告主端末
２ｂ  代理店端末
【図１】
2020170298.tif 000003
【図２】
2020170298.tif 000004
【図３】
2020170298.tif 000005
【図４】
2020170298.tif 000006
【図５】
2020170298.tif 000007
【図６】
2020170298.tif 000008
【図７】
2020170298.tif 000009
【図８】
2020170298.tif 000010
【図９】
2020170298.tif 000011
【図１０】
2020170298.tif 000012
【図１１】
2020170298.tif 000013
【図１２】
2020170298.tif 000014
【図１３】
2020170298.tif 000015
【図１４】
2020170298.tif 000016
【図１５】
2020170298.tif 000017
【図１６】
2020170298.tif 000018
【図１７】
2020170298.tif 000019
【図１８】
2020170298.tif 000020
【図１９】
2020170298.tif 000021
【図２０】
2020170298.tif 000022
【図２１】
2020170298.tif 000023